(57)【特許請求の範囲】
【請求項１】
受信された２つの音声情報に基づく音声を出力する音声出力装置、
前記２つの音声情報にそれぞれ関連付けられる２つのタッチパネルに対するタッチを検出するタッチ検出手段、および
前記タッチ検出手段によって一方のタッチパネルにおけるタッチが検出されるときに、一方の音声情報に基づく音声出力を停止させる音声出力停止手段を備える、携帯通信端末。
【請求項２】
前記音声出力停止手段によって前記一方の音声情報に基づく音声出力が停止されたときに、前記音声出力装置の直前の音量情報を記憶する記憶手段、
前記タッチ検出手段によって前記一方のタッチパネルにおけるタッチの終了が検出されるときに、前記記憶手段によって記憶された前記音量情報を読み出す読み出し手段、および
前記読み出し手段によって読み出された音量情報を前記音声出力装置に与えて、前記音声出力停止手段によって停止された音声出力の停止を解除する解除手段をさらに備える、請求項１記載の携帯通信端末。
【請求項３】
前記２つの音声情報に対応する２つの映像情報に基づく映像を出力する表示装置をさらに備え、
前記２つのタッチパネルは、前記２つの映像情報に基づく映像の表示領域に設けられる、請求項１または２記載の携帯通信端末。
【請求項４】
前記タッチ検出手段によって前記一方のタッチパネルにおけるタッチ状態の継続が検出されるときに、前記タッチ状態が継続する時間を計測する時間計測手段、および
前記時間計測手段によって検出された時間に基づいて前記一方の音声情報に対応する映像出力を停止させる映像出力停止手段をさらに備える、請求項３記載の携帯通信端末。
【発明の詳細な説明】
【技術分野】
【０００１】
この発明は、携帯通信端末に関し、特にたとえば地上デジタル放送を視聴することができる、携帯通信端末に関する。
【背景技術】
【０００２】
この種の装置の一例が、特許文献１に開示されている。この背景技術は、２以上の映像信号を同時に入力し、マルチ画面として表示可能なテレビジョン受像機である。このテレビジョン受像機は、Ｕ／ＶチューナおよびＢＳチューナを備え、１つのＣＲＴで複数の画面表示を行う。そして、このテレビジョン受像機は、複数の画面表示のそれぞれに、Ｕ／Ｖチューナによって受信した映像とＢＳチューナによって受信した映像とを表示する。
【０００３】
また、特許文献２には、携帯機器が開示されている。この携帯機器は、表示部とタッチパネルとタッチパネル表示部とを備える。表示部には、メニューなどの表示がされ、タッチパネル表示部は、タッチパネルの下面に設けられ、タッチパネルに対して入力された文字などを表示する。
【先行技術文献】
【特許文献】
【０００４】
【特許文献１】特開平５−３１６４４７号公報［H04N 5/45, H04N 5/44］
【特許文献２】特開２００７−８６９７６号公報［G06F 3/041, G06F 3/048, H04M 1/247］
【発明の概要】
【発明が解決しようとする課題】
【０００５】
特許文献１では、音声について触れられていないが、一般的に、複数の画面表示を行
う場合に、テレビジョン受像機は、主に視聴する画面表示（テレビ放送）に対応する音声のみを出力する。そして、使用者は、テレビジョン受像機を操作する専用のリモコンによって、容易に主に視聴するテレビ放送の音声を容易に切り替えることができる。
【０００６】
また、特許文献２の携帯機器において、特許文献１に示すテレビジョン受像機のように、２つの表示部のそれぞれで、テレビ放送を視聴できるようにすると、主に視聴するテレビ放送の音声を切り替える専用の切り替えキーを備える必要がある。ところが、携帯機器では、設けられるキーの制約があるため、携帯機器に、専用の切り替えキーを備えさせるのは現実的でない。また、すでに設けられた操作キーなど用いて切り替えの処理を行う場合には、使用者の操作が煩雑になり、主に視聴するテレビ放送の音声を容易に切り替えることができない。
【０００７】
それゆえに、この発明の主たる目的は、新規な、携帯通信端末を提供することである。
【０００８】
この発明の他の目的は、複数の音声出力のうち、必要な音声出力を容易に選択することができる、携帯通信端末を提供することである。
【課題を解決するための手段】
【０００９】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１０】
第１の発明は、放送波を受信して少なくとも２つの音声情報を抽出する放送波受信手段、放送波受信手段によって抽出された２つの音声情報に基づく音声を出力する音声出力装置、２つの音声情報にそれぞれ関連付けられる２つのタッチ検出手段、および一方のタッチ検出手段によってタッチの開始が検出されるときに、関連する一方の音声情報に基づく音声出力を停止させる音声出力停止手段を備える、携帯通信端末である。
【００１１】
第１の発明では、携帯通信端末（１０）の放送波受信手段（４２ａ、４２ｂ）は、放送波を受信して少なくとも２つの音声情報を抽出する。音声出力装置（３４ａ、３４ｂ、３４ｃ）は、放送波受信手段によって抽出された２つの音声情報に基づく音声を出力する。２つのタッチ検出手段（２６ａ，２６ｂ）は、２つの音声情報にそれぞれ関連付けられる。音声出力停止手段（２０、Ｓ１１、Ｓ８１）は、一方のタッチ検出手段によってタッチの開始が検出されるときに、関連する一方の音声情報に基づく音声出力を停止させる。
【００１２】
たとえば、放送波受信手段は、デジタル放送を受信する受信機であり、音声出力装置は、デジタル放送の音声を出力するスピーカである。そして、２つのタッチ検出手段は、２つのタッチパネルである。したがって、一方のタッチ検出手段によってタッチの開始が検出され、音声停止手段によって音声出力が停止されると、一方のタッチ検出手段に関連する音声情報に基づいた音声は、出力されなくなる。
【００１３】
第１の発明によれば、使用者は、一方のタッチ検出手段にタッチの開始を検出させることで、一方のタッチ検出手段と対応する一方の音声情報に基づく音声出力が停止されるため、必要な音声出力を容易に選択することができる。
【００１４】
第２の発明は、第１の発明に従属し、音声出力停止手段によって一方の音声情報に基づく音声出力が停止されたときに、音声出力装置の直前の音量情報を記憶する記憶手段、一方のタッチ検出手段によってタッチの終了が検出されるときに、記憶手段によって記憶された音量情報を読み出す読み出し手段、および読み出し手段によって読み出された音量情報を音声出力装置に与えて、音声出力停止手段によって停止された音声出力の停止を解除する解除手段をさらに備える。
【００１５】
第２の発明では、記憶手段（２０、３０、Ｓ９、Ｓ７９）は、音声出力停止手段によって一方の音声情報に基づく音声出力が停止されたときに、音声出力装置の直前の音量情報を記憶する。読み出し手段（２０、Ｓ５７、Ｓ１３７）は、一方のタッチ検出手段によってタッチの終了が検出されるときに、記憶手段によって記憶された音量情報を読み出す。解除手段（２０、Ｓ５９、Ｓ１３９）は、読み出し手段によって読み出された音量情報を音声出力装置に与えて、音声出力停止手段によって停止された音声出力の停止を解除する。つまり、一方のタッチ検出手段によってタッチの終了が検出されると、停止された音声出力が復帰する。
【００１６】
第２の発明によれば、使用者は、一方のタッチ検出手段にタッチの終了を検出させることで、一方のタッチ検出手段に関連する音声情報に基づいた音声を、再び音声出力させることができる。
【００１７】
第３の発明は、第１の発明または第２の発明に従属し、放送波受信手段は２つの映像情報をさらに抽出し、放送波受信手段によって抽出された２つの映像情報に基づく映像を出力する２つの表示装置をさらに備え、２つのタッチ検出手段は、２つの表示装置にそれぞれ設けられる。
【００１８】
第３の発明では、放送波受信手段は２つの映像情報をさらに抽出する。２つの表示装置（３８ａ、３８ｂ）は、放送波受信手段によって抽出された２つの映像情報に基づく映像
を出力する。そして、２つのタッチ検出手段は、２つの表示装置にそれぞれ設けられる。たとえば、２つの表示装置は、デジタル放送の映像を出力（表示）する。
【００１９】
第３の発明によれば、表示装置から出力される映像を確認してから、必要な音声を選択することができる。
【００２０】
第４の発明は、第３の発明に従属し、一方のタッチ検出手段によってタッチ状態の継続が検出されるときに、タッチ状態が継続する時間を計測する時間計測手段、および時間計測手段によって検出された時間に基づいて一方のタッチ検出手段に対応する一方の表示装置による映像出力を停止させる映像出力停止手段をさらに備える。
【００２１】
第４の発明では、時間計測手段（２０、Ｓ３、Ｓ５、Ｓ２３、Ｓ７３、Ｓ７５、Ｓ９３）は、一方のタッチ検出手段によってタッチ状態の継続が検出されるときに、タッチ状態が継続する時間を計測する。映像出力停止手段（２０、Ｓ２５、Ｓ９５）は、時間計測手段によって検出された時間に基づいて一方のタッチ検出手段に対応する一方の表示装置による映像出力を停止させる。たとえば、映像出力の停止に併せて、放送波受信手段と一方のタッチ検出手段に対応する表示装置との電源がオフにされる。
【００２２】
第４の発明によれば、映像出力を停止することで、携帯通信端末の消費電力を低減させることができる。
【００２３】
第５の発明は、第４の発明に従属し、記憶手段は、映像出力停止手段によって一方の表示装置による映像出力が停止されたときに、一方の表示装置によって出力された一方の映像情報に対応する放送波のチャンネル情報を記憶するチャンネル情報記憶手段を含み、読み出し手段は、一方のタッチ検出手段によってタッチの終了が検出されるときに、チャンネル情報記憶手段によって記憶されたチャンネル情報を読み出すチャンネル情報読み出し手段を含み、解除手段は、チャンネル情報読み出し手段によって読み出したチャンネル情報を放送波受信手段に与えて、映像出力停止手段によって停止された一方の表示装置の映像出力の停止を解除する映像出力解除手段を含む。
【００２４】
第５の発明では、チャンネル情報記憶手段（２０、３０、Ｓ９、Ｓ７９）は、映像出力停止手段によって一方の表示装置による映像出力が停止されたときに、一方の表示装置によって出力された一方の映像情報に対応する放送波のチャンネル情報を記憶する。チャンネル情報読み出し手段（２０、Ｓ５７、Ｓ１３７）は、一方のタッチ検出手段によってタッチの終了が検出されるときに、チャンネル情報記憶手段によって記憶されたチャンネル情報を読み出す。映像出力解除手段（２０、Ｓ５９、Ｓ１３９）は、チャンネル情報読み出し手段によって読み出したチャンネル情報を放送波受信手段に与えて、映像出力停止手段によって停止された一方の表示装置の映像出力の停止を解除する。
【００２５】
第５の発明によれば、使用者は、一方のタッチ検出手段にタッチの終了を検出させることで、停止した映像出力を再び出力させることができる。
【００２６】
第６の発明は、第１の発明ないし第５の発明のいずれかに従属し、放送波受信手段は、それぞれ異なる放送波を受信する２つの放送波受信手段を含み、一方の音声情報および一方の映像情報は、一方の放送波受信手段によって抽出され、他方の音声情報および他方の映像情報は、他方の放送波受信手段によって抽出され、２つのタッチパネルは、２つの放送波受信手段にそれぞれ対応付けられる。
【００２７】
第６の発明では、２つの放送波受信手段（４２ａ、４２ｂ）は、それぞれ異なる放送波を受信する。そして、一方の音声情報および一方の映像情報は、一方の放送波受信手段に
よって抽出され、他方の音声情報および他方の映像情報は、他方の放送波受信手段によって抽出さる。さらに、２つのタッチパネルは、２つの放送波受信手段にそれぞれ対応付けられる。つまり、２つの音声情報および２つの映像情報は、２つの放送波受信手段によって抽出される。
【００２８】
第６の発明によれば、携帯通信端末は、２つの放送波受信手段を備えることで、異なる２つの音声を出力することができる。
【００２９】
第７の発明は、第６の発明に従属し、音声出力装置は、２つの音声情報に基づく音声を出力する複数の音声出力装置であり、一方のタッチ検出手段によってスライドの操作が検出されるとき、スライドの方向を検出する方向検出手段、方向検出手段によって第１方向が検出されるときに、他方のタッチ検出手段に対応する他方の放送波受信手段から抽出された他方の音声情報に基づく音声を出力する音声出力装置の音量情報を変更する音量情報変更手段、および方向検出手段によって第１方向とは異なる第２方向が検出されるときに、他方の放送波受信手段によって受信される放送波のチャンネル情報を変更するチャンネル情報変更手段をさらに備える。
【００３０】
第７の発明では、音声出力装置は、２つの音声情報に基づく音声を出力する複数の音声出力装置である。方向検出手段（２０、Ｓ３１、Ｓ１０１）は、一方のタッチ検出手段によってスライドの操作が検出されるとき、スライドの方向を検出する。音量情報変更手段（２０、Ｓ３５、Ｓ１０５）は、方向検出手段によって第１方向が検出されるときに、他方のタッチ検出手段に対応する他方の放送波受信手段から抽出された他方の音声情報に基づく音声を出力する音声出力装置の音量情報を変更する。チャンネル情報変更手段（２０、Ｓ３７、Ｓ１０７）は、方向検出手段によって第１方向とは異なる第２方向が検出されるときに、他方の放送波受信手段によって受信される放送波のチャンネル情報を変更する。つまり、２つの音声情報のそれぞれは、異なる音声出力装置から出力される。
【００３１】
第７の発明によれば、使用者は、一方のタッチ検出手段によってスライドの操作を検出させることで、他方のタッチ検出手段を設ける表示装置から出力される映像またはその映像に対応する音声を制御することができる。
【００３２】
第８の発明は、第１の発明ないし第７の発明のいずれかに従属し、複数の音声出力装置は、一方の放送波受信手段によって抽出される一方の音声情報に基づく第１音声を出力する第１音声出力装置、他方の放送波受信手段によって抽出される他方の音声情報に基づく第２音声を出力する第２音声出力装置、および第１音声出力装置と第２音声出力装置との間に設けられ第１音声および第２音声の一方を出力する第３音声出力装置を含み、音声停止手段によって第１音声出力が停止されるときに、第３音声出力装置から第２音声を出力させるように設定し、音声停止手段によって第２音声出力が停止されるときに、第３音声出力装置から第１音声を出力させるように設定する出力設定手段をさらに備える。
【００３３】
第８の発明では、第１音声出力装置（３４ａ）は、一方の放送波受信手段によって抽出される一方の音声情報に基づく第１音声を出力する。第２音声出力装置（３４ｃ）は、他方の放送波受信手段によって抽出される他方の音声情報に基づく第２音声を出力する。第３音声出力装置（３４ｂ）は、第１音声出力装置と第２音声出力装置との間に設けられ第１音声および第２音声の一方を出力する。出力設定手段（２０、Ｓ１５９）は、音声停止手段によって第１音声出力が停止されるときに、第３音声出力装置から第２音声を出力させるように設定し、音声停止手段によって第２音声出力が停止されるときに、第３音声出力装置から第１音声を出力させるように設定する。つまり、選択した音声に応じて、第３音声出力装置から出力される音声も変化される。これによって、選択された音声は、２つの音声出力装置から出力される。
【００３４】
第８の発明によれば、選択された音声がステレオ放送である場合に、左右のチャンネルそれぞれに割り当てられた音声を聞くことができるようになる。
【発明の効果】
【００３５】
この発明によれば、一方のタッチ検出手段によってタッチが検出されると、一方のタッチ検出手段に対応する一方の音声情報に基づく音声出力が停止されるため、必要な音声出力を容易に選択することができる。
【００３６】
この発明の上述の目的、その他の目的、特徴および利点は、図面を参照して行う以下の実施例の詳細な説明から一層明らかとなろう。
【図面の簡単な説明】
【００３７】
【図１】図１は本発明の一実施例の携帯通信端末を示すブロック図である。
【図２】図２は図１に示す携帯通信端末の外観を示す図解図である。
【図３】図２は図１に示す携帯通信端末の外観を示す他の図解図である。
【図４】図４は図１に示すＲＡＭのメモリマップの一例を示す図解図である。
【図５】図５は図４に示すＲＡＭに記憶されるデータ記憶領域を示す図解図である。
【図６】図６は図１に示すＣＰＵの第１タッチパネルのタッチ検出処理の一部を示すフロー図である。
【図７】図７は図１に示すＣＰＵの第１タッチパネルのタッチ検出処理の他の一部であって、図６に後続するフロー図である。
【図８】図８は図１に示すＣＰＵの第１タッチパネルのタッチ検出処理のその他の一部であって、図７に後続するフロー図である。
【図９】図９は図１に示すＣＰＵの第２タッチパネルのタッチ検出処理の一部を示すフロー図である。
【図１０】図１０は図１に示すＣＰＵの第２タッチパネルのタッチ検出処理の他の一部であって、図９に後続するフロー図である。
【図１１】図１１は図１に示すＣＰＵの第２タッチパネルのタッチ検出処理のその他の一部であって、図１０に後続するフロー図である。
【図１２】図１２は図１に示すＣＰＵのスピーカ制御処理を示すフロー図である。
【発明を実施するための形態】
【００３８】
＜第１実施例＞  図１を参照して、携帯通信端末１０は、第１ＬＣＤモニタ３８ａおよび第２ＬＣＤモニタ３８ｂと、第１タッチパネル２６ａおよび第２タッチパネル２６ｂと、キー入力装置２２とを含む。第１タッチパネル２６ａおよび第２タッチパネル２６ｂのそれぞれは、タッチパネル制御回路２４によって電源電圧などが制御される。また、第１タッチパネル２６ａおよび第２タッチパネル２６ｂに対する操作の結果は、タッチパネル制御回路２４を介して、ＣＰＵ２０に入力される。
【００３９】
第１タッチパネル、第２タッチパネルまたはキー入力装置２２によって発呼操作が行われると、ＣＰＵ２０は、ＣＤＭＡ方式に対応する無線通信回路１４を制御して発呼信号を出力する。出力された発呼信号は、アンテナ１２から送出され、基地局を含む移動通信網に送信される。そして、通話相手が応答操作を行うと、通話可能状態が確立される。
【００４０】
通話可能状態に移行した後に、キー入力装置２２によって通話終了操作が行われると、ＣＰＵ２０は、無線通信回路１４を制御して、基地局を含む移動通信網に通話終了信号を送信する。通話終了信号の送信後、ＣＰＵ２０は、通話処理を終了する。また、先に通話相手から通話終了信号を受信した場合も、ＣＰＵ２０は、通話処理を終了する。さらに、通話相手によらず、移動通信網から通話終了信号を受信した場合も、ＣＰＵ２０は通話処
理を終了する。
【００４１】
携帯通信端末１０の電源がオンである状態で通話相手からの発呼信号がアンテナ１２によって捉えられると、無線通信回路１４は、着信をＣＰＵ２０に通知する。ＣＰＵ２０は、第１ＬＣＤモニタ３８ａまたは第２ＬＣＤモニタ３８ｂから出力し、図示しない着信通知用のスピーカから着信音を出力する。キー入力装置２２によって応答操作が行われると、通話可能状態が確立される。
【００４２】
通話可能状態では、次のような処理が実行される。通話相手から送信された変調音声信号（高周波信号）は、アンテナ１２によって受信される。受信された変調音声信号は、無線通信回路１４によって復調処理および復号処理を施される。これによって得られた受話音声信号は、スピーカ１８から出力される。また、マイク１６によって取り込まれた送話音声信号は、無線通信回路１４によって符号化処理および変調処理を施される。これによって生成された変調音声信号は、アンテナ１２を利用して送信される。
【００４３】
また、デジタルＴＶ視聴モードが実行されると、デジタルＴＶ受像機として機能する。第１ＤＴＶチューナ４２ａは、第１タッチパネル、第２タッチパネルまたはキー入力装置２２によって選局操作がされると、ＤＴＶアンテナ４４によって受信されたデジタル放送の高周波信号から所望のチャネルの高周波信号を抽出し、かつ抽出された高周波信号にＭＰＥＧフォーマットに従う復調処理を施す。これによって、所望のチャネルのＴＶ番組データは、ＴＳ（Ｔｒａｎｓｐｏｒｔ  Ｓｔｒｅａｍ）形式で第１ＤＴＶチューナ４２ａから出力される。出力されたＴＶ番組データは、第１ＤＥＭＵＸ（デマルチプレクサ）４０ａに与えられる。
【００４４】
第１ＤＥＭＵＸ４０ａは、与えられたＴＶ番組データから映像パケットおよび音声パケットを抽出する。抽出された映像パケットおよび音声パケットは、ＣＰＵ２０を介してデコーダ３２に与られる。デコーダ３２は、第１ＤＥＭＵＸ４０ａから与えられた映像パケットをデコードして映像データを作成し、生成された映像データをＬＣＤドライバ３６に与え、ＬＣＤドライバ３６は、与えられたＴＶ番組の映像データを第１ＬＣＤモニタ３８ａに出力する。この結果、所望のＴＶ番組の映像が、第１ＬＣＤモニタ３８ａに表示される。
【００４５】
また、デコーダ３２は、第１ＤＥＭＵＸ４０ａから与えられた音声パケットをデコードして左チャンネルと右チャンネルとの２つの音声データを生成する。生成された２つの音声データは、図示しないＤ／Ａ変換器によってアナログ信号である音声信号に変換され、変換された左チャンネルの音声信号は第１スピーカ３４ａに与えられ、変換された右チャンネルの音声信号は第２スピーカ３４ｂに与えられる。この結果、所望のＴＶ番組の音声が第１スピーカ３４ａおよび第２スピーカ３４ｂから出力される。
【００４６】
また、同様にして、第２ＤＴＶチューナ４２ｂは、第１タッチパネル、第２タッチパネルまたはキー入力装置２２によって選局操作がされると、ＤＴＶアンテナ４４によって受信されたデジタル放送の高周波信号から他の所望のチャネルの高周波信号を抽出し、他の所望のチャネルの他のＴＶ番組データは、ＴＳ形式で第２ＤＴＶチューナ４２ｂから出力される。出力された他のＴＶ番組データは、第２ＤＥＭＵＸ４０ｂに与えられ、第２ＤＥＭＵＸ４０ｂは、与えられた他のＴＶ番組データから映像パケットおよび音声パケットを抽出する。抽出された映像パケットおよび音声パケットは、ＣＰＵ２０を介してデコーダ３２に与られる。
【００４７】
そして、デコーダ３２は、第２ＤＥＭＵＸ４０ｂから与えられた音声パケットをデコードして左チャンネルと右チャンネルとの２つの音声データを生成する。生成された２つの
音声データは、図示しないＤ／Ａ変換器によってアナログ信号である音声信号に変換され、変換された左チャンネルの音声信号と右チャンネルの音声信号は、混合され第３スピーカ３４ｃに与えられる。この結果、他の所望のＴＶ番組の音声が第３スピーカ３４ｃから出力される。また、第１ＬＣＤモニタ３８ａと同様にして、第２ＬＣＤモニタ３８ｂには、所望の他のＴＶ番組の映像が表示さる。
【００４８】
図２は、携帯通信端末１０における開状態を示す外観図である。図２を参照して、携帯通信端末１０は、各々が板状に形成されたケースＣ１およびケースＣ２を有する。ケースＣ１およびケースＣ２の厚みは略同じである。アンテナ１２は、伸縮可能に構成された伸縮アンテナであり、ケースＣ１に突出して設けられる。なお、アンテナ１２は内蔵アンテナであってもよく、ケースＣ１またはＣ２に内蔵される場合も考えられる。
【００４９】
マイク１６（図１参照）はケースＣ２に内蔵され、内蔵されたマイク１６に通じる開口ｏｐ３はケースＣ２の長さ方向一方の内側面に設けられる。同じく、図２では図示しないスピーカ１８はケースＣ１に内蔵され、内蔵されたスピーカ１８に通じる開口ｏｐ１はケースＣ１の長さ方向一方の内側面に設けられる。つまり、使用者は、開口ｏｐ１を通じてスピーカ１８から出力される音を聞き、開口ｏｐ３を通じてマイク１６に音声を入力する。
【００５０】
キー入力装置２２は、操作キー群がケースＣ２の内側面に露出するようにケースＣ２に取り付けられる。第１ＬＣＤモニタ３８ａは、モニタ画面がケースＣ１の内側面に露出するようにケースＣ１に取り付けられ、さらに第１ＬＣＤモニタ３８ａの上面には、第１タッチパネル２６ａが設けられる。第２ＬＣＤモニタ３８ｂは、モニタ画面がケースＣ２の内側面に露出するようケースＣ１に取り付けられ、さらに、第２ＬＣＤモニタ３８ｂの上面には、第２タッチパネル２６ｂが設けられる。
【００５１】
また、第１タッチパネル２６ａおよび第２タッチパネル２６ｂのそれぞれは、抵抗膜方式、光学式（赤外線方式）および静電容量結合式のいずれかの種類のものを用いることができる。第１タッチパネル２６ａは、第１ＬＣＤモニタ３８ａの画面内の任意の位置を使用者が指示するためのポインティングデバイスである。第１タッチパネル２６ａは、その上面を指で、押したり、撫でたり（スライドしたり）、触れたりされることにより操作されると、操作された操作位置の座標データを出力する。また、第２タッチパネル２６ｂは、第２ＬＣＤモニタ２８ｂにおいて同様である。
【００５２】
つまり、使用者は、第１タッチパネル２６ａまたは第２タッチパネル２６ｂの上面を指で、押したり、撫でたり、触れたりすることによって、操作の方向や図形などを携帯通信端末１０に入力することができる。
【００５３】
ここで、使用者が第１タッチパネル２６ａまたは第２タッチパネル２６ｂの上面をペン或いは指で触れる操作を「タッチ」と呼ぶことにする。一方、第１タッチパネル２６ａまたは第２タッチパネル２６ｂから指などを離す操作を「リリース」と呼ぶことにする。
そして、タッチによって示された座標を「タッチ始点」、リリースによって示された座標を「タッチ終点」と呼ぶことにする。また、タッチ始点の座標とは異なる座標でタッチ終点の座標を示す操作を「スライド操作」と呼ぶことにする。
【００５４】
なお、第１タッチパネル２６ａまたは第２タッチパネル２６ｂに対する操作は、指だけに限らずペンなどの先が細い形状をした棒で行われてもよいことは言うまでもない。また、操作を行うために、専用のタッチペンなどを備えるようにしてもよい。
【００５５】
ヒンジ機構Ｈは、ケースＣ２の長さ方向他方端の側面にヒンジ機構として形成される。
ケースＣ１は長さ方向他方端の側面においてヒンジ機構Ｈと結合される。また、ヒンジ機構Ｈは、ケースＣ１をケースＣ２の上に積層した状態で、ケースＣ２の内側面の短辺と平行な軸ＡＸを基準として可動させる。つまり、軸ＡＸを基準とした回転により、ケースＣ１とケースＣ２とを開閉させる。
【００５６】
図２では図示しない第１スピーカ３４ａは、スピーカ１８と同様にケースＣ１に内蔵される。内蔵された第１スピーカ３４ａは、開口ｏｐ１を通じて音声を出力する。同じく、図２では図示しない第２スピーカ３４ｂは、ヒンジ機構Ｈに内蔵される。内蔵された第２スピーカ３４ｂに通じる開口ｏｐ２は、ヒンジ機構Ｈの中央において、開状態で開口ｏｐ３が設けられるケースＣ２の内側面と同じ平面上に設けられる。また、同じく、図２では図示しない第３スピーカ３４ｃは、マイク１６と同様にケースＣ２に内蔵される。内蔵された第３スピーカ３４ｃは、開口ｏｐ３を通じて音声を出力する。
【００５７】
つまり、使用者は、開口ｏｐ１および開口ｏｐ２を通じて第１ＬＣＤモニタ３８ａに対応するＴＶ番組の音声を聞き、開口ｏｐ３を通じて第２ＬＣＤに対応するＴＶ番組の音声を聞く。
【００５８】
図３は、デジタルＴＶ視聴モードを実行する場合の携帯通信端末１０の外観を示す図解図である。図３を参照して、ケースＣ１，Ｃ２と、開口ｏｐ１，ｏｐ２，ｏｐ３と、ヒンジ機構Ｈと、アンテナ１２と、キー入力装置２２と、第１タッチパネル２６ａと、第２タッチパネル２６ｂと第１ＬＣＤモニタ３８ａと、第２ＬＣＤモニタ３８ｂとにおいては、図２で説明した内容と同様であるため、重複した説明は省略する。
【００５９】
携帯通信端末１０は、デジタルＴＶ視聴モードでは、左側に第１ＬＣＤモニタ３８ａ、右側に第２ＬＣＤモニタ３８ｂがとなるように、使用者によって保持される。そして、使用者は、左側の第１ＬＣＤモニタ３８ａ、第１スピーカ（開口ｏｐ１）および第２スピーカ（開口ｏｐ２）によって、第１ＤＴＶチューナ４２ａが受信したチャンネルのＴＶ番組を視聴する。また、右側の第２ＬＣＤモニタ３８ｂ、第３スピーカ（開口ｏｐ３）によって、第２ＤＴＶチューナ４２ｂが受信したチャンネルの他のＴＶ番組を視聴する。
【００６０】
ここで、第１ＬＣＤモニタ３８ａと第２ＬＣＤモニタ３８ｂとに対応するＴＶ番組を視聴する場合に、第１スピーカ３４ａ（開口ｏｐ１）、第２スピーカ３４ｂ（開口ｏｐ２）および第３スピーカ３４ｃ（開口ｏｐ３）との距離が近いため、それぞれのＴＶ番組の音声を正確に聞き取ることができない。
【００６１】
そのため、本実施例では、第１タッチパネル２６ａがタッチされると、第１ＬＣＤモニタ３８ａに対応するＴＶ番組の音声は無音状態にされる設定（以下、本実施例では、「ミュート設定」という。）がされ、リリースされると、第１ＬＣＤモニタ３８ａに対応するＴＶ番組の音声はミュート設定が解除される。つまり、ミュート設定される前の音声の出力状態に復帰する。同様にして、第２タッチパネル２６ｂがタッチされると、第２ＬＣＤモニタ３８ｂに対応するＴＶ番組の音声はミュート設定にされ、リリースされると、第２ＬＣＤモニタ３８ｂに対応するＴＶ番組の音声はミュート設定が解除される。
【００６２】
なお、第１タッチパネル２６ａのみがタッチされる場合には、第２スピーカ３４ｂは、第２ＬＣＤモニタに対応するスピーカとして設定される。つまり、変換された左チャンネルの音声信号は第２スピーカ３４ｂから出力され、右チャンネルの音声信号は第３スピーカ３４ｃから出力される。
【００６３】
また、タッチの時間、つまりタッチパネルに触れ続けた時間が所定時間（ここでは、２０秒間）を経過すると、ミュート設定されたＴＶ番組の映像を表示するＬＣＤモニタと、
そのＴＶ番組に対応するチャネルの高周波信号を受信するＤＴＶチューナおよびＤＥＭＵＸとの電源をオフにするモード（以下、本実施例では、「スリープモード」という。）が設定される。これによって、携帯通信端末１０の消費電力を低減させることができる。
【００６４】
たとえば、第１タッチパネルに対するタッチが２０秒を経過すると、第１ＬＣＤモニタ３８ａと、第１ＤＴＶチューナ４２ａと、第１ＤＥＭＵＸ４０ａとがスリープモードに設定されるため、それぞれの電源がオフにされる。
【００６５】
さらに、タッチした後にスライド操作がされる場合に、ミュート設定されていないＴＶ番組のチャンネルの選局や音量調整を操作することができる。スライド操作が横方向であれば、選局操作が行われる。たとえば、左方向へのスライド操作であれば、高周波信号の値が大きく、つまり割り当てられたチャンネルの番号が増加し、右方向であれば、高周波信号の値が小さく、つまり割り当てられたチャンネルの番号が減少する。
【００６６】
また、スライド操作が縦方向であれば、音量調整の操作が行われる。たとえば、上方向へのスライド操作であれば、スピーカから出力される音声の音量が大きくなり、下方向へのスライド操作であれば、スピーカから出力される音声の音量が小さくなる。
【００６７】
つまり、第１タッチパネル２６ａに対してタッチされ、第１ＬＣＤモニタ３８ａに対応するＴＶ番組がミュート設定される場合に、上方向へのスライド操作がされると、第２ＬＣＤモニタ３８ｂに対応するＴＶ番組の音量は大きくなり、下方向へのスライド操作がされると、ＴＶ番組の音量は小さくなる。さらに、左方向へのスライド操作がされると、第２ＬＣＤモニタ３８ｂに対応するＴＶ番組のチャンネルの番号が減少し、右方向へのスライド操作がされると、ＴＶ番組のチャンネルの番号が増加する。
【００６８】
また、スライド操作を行うためにリリースされた場合に、ミュート設定が解除されないようにするために、リリースされてから他の所定時間（ここでは、１秒間）は、ミュート設定が解除されないようにする。
【００６９】
なお、第１タッチパネル２６ａと第２タッチパネル２６ｂとに同時にタッチされる場合には、スライド操作によってチャンネルの選局や音量調節の操作は行われない。
【００７０】
また、縦方向のスライド操作によってチャンネルの選局が行われ、横方向のスライド操作によって音量調整の操作が行われてもよい。そして、タッチからリリースまでの座標の変化を記憶することで、丸、三角形、四角形などの一筆書き可能な図形などをタッチパネルで入力することで、チャンネルの選局または音量調整の操作が行われるようにしてもよい。
【００７１】
図４は、ＲＡＭ３０にメモリマップを示す図解図である。図４を参照して、ＲＡＭ３０のメモリマップには、プログラム記憶領域１０２およびデータ記憶領域１０４が含まれる。プログラムおよびデータの一部は、フラッシュメモリ２８から一度に全部または必要に応じて部分的にかつ順次的に読み出され、ＲＡＭ３０に記憶され、そしてＣＰＵ２０などで処理される。
【００７２】
プログラム記憶領域１０２は、携帯通信端末１０を動作させるためのプログラムを記憶する。携帯通信端末１０を動作させるためのプログラムは、通話プログラム１１２、第１タッチパネルのタッチ検出プログラム１１４、第２タッチパネルのタッチ検出プログラム１１６およびスピーカ制御プログラムなどによって構成される。通話プログラム１１２は、携帯通信端末１０によって通話機能を実行するためのプログラムである。
【００７３】
第１タッチパネルのタッチ検出プログラム１１４は、デジタルＴＶ視聴モードにおける第１タッチパネル２６ａに対するタッチを検出するプログラムであり、たとえば、第１ＬＣＤモニタ３８ａに対応するＴＶ番組のミュート設定、スリープモード設定を処理したり、スライド操作による第２ＬＣＤモニタ３８ｂに対応するＴＶ番組の選局操作や音量調節の操作を処理したりする。
【００７４】
第２タッチパネルのタッチ検出プログラム１１６は、第１タッチパネルのタッチ検出プログラム１１４と同様に、デジタルＴＶ視聴モードにおける第２タッチパネル２６ｂに対するタッチを検出するプログラムである。スピーカ制御プログラム１１８は、ミュート設定が行われたＴＶ番組に対応して、第２スピーカを制御するためのプログラムであり、たとえば、第１タッチパネルにタッチされた場合に、第２スピーカを第２ＬＣＤモニタ対応するスピーカに設定する処理を行う。
【００７５】
なお、図示は省略するが、携帯通信端末１０を動作させるためのプログラムは、デジタルＴＶ視聴モードを実行するためのプログラム、現在時刻を通知するためのプログラム、メール機能を実行するためのプログラムなどを含む。
【００７６】
図５に示すように、データ記憶領域１０４には、文字列データ１３２、画像データ１３４、タッチ座標データ１３６、第１設定値データ１３８および第２設定値データ１４０が記憶されるとともに、第１タッチフラグ１４２、第２タッチフラグ１４４、第１ミュートフラグ１４６、第２ミュートフラグ１４８、第１スリープモードフラグ１５０、第２スリープモードフラグ１５２、第１タッチ終了フラグ１５４、第２タッチ終了フラグ１５６、第１タッチ開始カウンタ１５８、第２タッチ開始カウンタ１６０、第１タッチ終了カウンタ１６２および第２タッチ終了カウンタ１６４などが設けられる。
【００７７】
文字列データ１３２は、携帯通信端末１０の第１ＬＣＤモニタ３８ａおよび第２ＬＣＤモニタ３８ｂに表示される文字列のデータである。画像データ１３２は、携帯通信端末１０の第１ＬＣＤモニタ３８ａおよび第２ＬＣＤモニタ３８ｂに表示される画像のデータである。タッチ座標マップデータ１３６は、第１タッチパネル２６ａまたは第２タッチパネル２６ｂに対して行われた操作、たとえばタッチ始点によって示された座標と、第１ＬＣＤモニタ３８ａまたは第２ＬＣＤモニタ３８ｂの表示座標とを対応付けるためのデータである。たとえば、ＣＰＵ２０は、タッチ座標マップデータ１３６に基づいて第１タッチパネル２６ａに対して行われた操作の結果を第１ＬＣＤモニタ３８ａの表示に反映させることができる。
【００７８】
第１設定値データ１３８は、第１ＬＣＤモニタ３８ａに対応するＴＶ番組のチャンネルと音量とのデータであり、たとえば、ＴＶ番組のチャンネルを示す高周波信号の値と、音量調整の調整値とが第１設定値データ１３８としてデータ記憶領域１０４に記憶される。また、第２設定値データ１４０は、第１ＬＣＤモニタ３８ａに対応するＴＶ番組のチャンネルと音量とのデータであり、データの構造は第１設定値データ１３８と同様である。
【００７９】
第１タッチフラグ１４２は、第１タッチパネル２６ａにタッチしているか（触れているか）否かを判断するフラグである。たとえば、第１タッチフラグ１４２は、１ビットのレジスタで構成される。第１タッチフラグ１４２が成立（オン）されると、レジスタにはデータ値「１」が設定され、第１タッチフラグ１４２が不成立（オフ）されると、レジスタにはデータ値「０」が設定される。また、第２タッチフラグ１４４は、第２タッチパネル２６ｂに触れているか否かを判断するフラグであり、そのフラグの構成は、第１タッチフラグ１４２と同様である。
【００８０】
第１ミュートフラグ１４６は、第１ＬＣＤモニタ３８ａに対応するＴＶ番組がミュート
設定されているか否かを判断するフラグである。たとえば、第１ミュートフラグ１４６は、１ビットのレジスタで構成される。第１ミュートフラグ１４６が成立（オン）されると、レジスタにはデータ値「１」が設定され、第１ミュートフラグ１４６が不成立（オフ）されると、レジスタにはデータ値「０」が設定される。また、第２ミュートフラグ１４８は、第２ＬＣＤモニタ３８ｂに対応するＴＶ番組がミュート設定されているか否かを判断するフラグであり、そのフラグの構成は、第１ミュートフラグ１４６と同様である。
【００８１】
第１スリープモードフラグ１５０は、第１ＬＣＤモニタ３８ａと、第１ＤＴＶチューナ４２ａと、第１ＤＥＭＵＸ４０ａとがスリープモードに設定されているか否かを判断するフラグである。たとえば、第１スリープモードフラグ１５０は、１ビットのレジスタで構成される。第１スリープモードフラグ１５０が成立（オン）されると、レジスタにはデータ値「１」が設定され、第１スリープモードフラグ１５０が不成立（オフ）されると、レジスタにはデータ値「０」が設定される。また、第２スリープモードフラグ１５２は、第２ＬＣＤモニタ３８ｂと、第２ＤＴＶチューナ４２ｂと、第２ＤＥＭＵＸ４０ｂとがスリープモードに設定されているか否かを判断するフラグであり、そのフラグの構成は、第１スリープモードフラグ１５０と同様である。
【００８２】
第１タッチ終了フラグ１５４は、第１タッチパネル２６ａに対してリリースされたか否かを判断するためのフラグである。たとえば、第１タッチ終了フラグ１５４は、１ビットのレジスタで構成される。第１タッチ終了フラグ１５４が成立（オン）されると、レジスタにはデータ値「１」が設定され、第１タッチ終了フラグ１５４が不成立（オフ）されると、レジスタにはデータ値「０」が設定される。また、第２タッチ終了フラグ１５６は、第２タッチパネル２６ｂに対してリリースされたか否かを判断するためのフラグであり、そのフラグの構成は、第１タッチ終了フラグ１５４と同様である。
【００８３】
第１タッチ開始カウンタ１５８は、第１タッチパネル２６ａに触れ続けられている時間をカウントするためのカウンタである。この第１タッチ開始カウンタ１５８の計測結果は、第１ＬＣＤモニタ３８ａと、第１ＤＴＶチューナ４２ａと、第１ＤＥＭＵＸ４０ａとをスリープモードに設定するか否かを判断するために用いられる。また、第２タッチ開始カウンタ１５８は、第２タッチパネル２６ｂに触れ続けられている時間をカウントするためのカウンタである。また、第２タッチ開始カウンタ１５８の利用目的は、第１ＬＣＤモニタ３８ａと、第１ＤＴＶチューナ４２ａと、第１ＤＥＭＵＸ４０ａとをスリープモードに設定するか否かを判断するために用いられる。
【００８４】
第１タッチ終了カウンタ１６２は、第１タッチパネルに対してリリースされてから、つまり第１タッチフラグ１４２がオフ状態にされてからの時間をカウントするためのカウンタである。この第１タッチ終了カウンタ１６２の計測結果は、ミュート設定を解除するか否かを判断するために用いられる。これによって、スライド操作によってチャンネルの選局や音量調節を連続して行う場合に、リリースされても、他の所定時間（１秒間）以内にタッチされれば、ミュート設定が解除されないようにすることができる。
【００８５】
また、第２タッチ終了カウンタ１６４は、第２タッチフラグ１４４がオフ状態にされてからの時間をカウントするためのカウンタであり、そのカウンタの利用目的は、第１タッチ終了カウンタ１６２と同様である。
【００８６】
なお、図示は省略するが、データ記憶領域１０４には、アドレス帳のデータなどが記憶されるとともに、携帯通信端末１０の動作に必要な他のカウンタやフラグも設けられる。
【００８７】
具体的には、ＣＰＵ２０は、μＩＴＲＯＮやＳｙｍｂｉａｎなどのマルチタスクＯＳの制御下で、図６−図８に示す第１タッチパネルのタッチ検出処理、図９−図１１に示す第
２タッチパネルのタッチ検出処理および図１２に示すスピーカ制御処理などを含む複数のタスクを並列的に実行する。
【００８８】
たとえば、携帯通信端末１０の使用者がキー入力装置２２、第１タッチパネル２６ａまたは第２タッチパネル２６ｂを操作して、デジタルＴＶ視聴モードを実行する指示を入力すると、図６に示すように、ＣＰＵ２０は、第１タッチパネルのタッチ検出処理を開始し、ステップＳ１では、第１タッチパネル２６ａにタッチされたか否かを判断する。たとえば、このステップＳ１では、第１タッチフラグ１４２がオン状態であるか否かを判断する。ステップＳ１で“ＮＯ”であれば、つまり第１タッチフラグ１４２がオフ状態であれば、ステップＳ１の判断を繰り返す。
【００８９】
ステップＳ１で“ＹＥＳ”であれば、第１タッチフラグ１４２がオン状態であれば、ステップＳ３で第１タッチ開始カウンタ１５８を初期化し、次のステップＳ５で第１タッチ開始カウンタ１５８をインクリメントする。たとえば、このステップＳ３では、第１タッチ開始カウンタ１５８に０を設定し、次のステップＳ５で、第１タッチ開始カウンタ１５８を「＋１」する。
【００９０】
続いて、ステップＳ７では、ミュート設定か否かを判断する。つまり、このステップＳ７では、第１ミュートフラグ１４６がオン状態であるか否かを判断する。ここで、ステップＳ７で“ＹＥＳ”であれば、つまり第１ミュートフラグ１４６がオン状態であれば、図７に示すステップＳ２１に進む。一方、ステップＳ７で“ＮＯ”であれば、つまり第１ミュートフラグ１４６がオフ状態であれば、ステップＳ９で第１ＬＣＤモニタ３８ａに対応するＴＶ番組の各設定値を記憶する。つまり、このステップＳ９では、第１ＬＣＤモニタ３８ａに対応するＴＶ番組のチャンネルの高周波信号の値と音量の調整値とを第１設定データ１３８として記憶する。
【００９１】
次のステップＳ１１では、第１ＬＣＤモニタ３８ａに対応するＴＶ番組をミュート設定する。つまり、音量の調整値を最小値にすることで、第１スピーカ３４ａと第２スピーカ３４ｂとから出力される音声の出力を止め、第１ミュートフラグをオン状態にする。なお、音量の調整値は、即座に最小値にされてもよいし、段階的に調整値を小さくすることでフェードアウトさせてもよい。さらに、デコーダ３２から第１スピーカ３４ａと第２スピーカ３４ｂとに与えられる音声信号を止めるようにしてもよい。
【００９２】
続いて、図７に示すステップＳ２１では、スリープモードか否かを判断する。
つまり、このステップＳ２１では、第１スリープモードフラグ１５０がオン状態であるか否かを判断する。このステップＳ２１で、“ＹＥＳ”であれば、つまり第１スリープモードフラグ１５０がオン状態であれば、ステップＳ２７に進む。一方、ステップＳ２１で“ＮＯ”であれば、ステップＳ２３で第１タッチ開始カウンタ１５８の値が６００以上であるか否かを判断する。つまり、タッチがされてからステップＳ２３の判断が行われるまでの時間が所定時間（２０秒間）を越えたか否かを判断する。ステップＳ２３で“ＮＯ”であれば、つまり第１タッチ開始カウンタ１５８の値が６００未満であれば、ステップＳ２７に進む。一方、ステップＳ２３で“ＹＥＳ”であれば、つまり第１タッチ開始カウンタ１５８の値が６００以上であれば、ステップＳ２５でスリープモードに設定し、ステップＳ２７に進む。
つまり、第１ＬＣＤモニタ３８ａと、第１ＤＴＶチューナ４２ａと、第１ＤＥＭＵＸ４０ａとの電源をオフにし、第１スリープモードフラグ１５０をオン状態にする。
【００９３】
また、ステップＳ５−Ｓ１１、ステップＳ２１−３７およびステップＳ４１−Ｓ５９の処理は約１／３０分秒で処理されるため、第１タッチ開始カウンタ１５８の値が６００であれば、約２０秒間経過したことを示す。
つまり、タッチしてから約２０秒の間、リリースされなければ、スリープモードが設定される。
【００９４】
なお、ステップＳ２３の閾値は、使用者によって６００以上、または６００未満の値を任意に設定できるようにしてもよい。さらに、タッチしてからの時間に関わらずスリープモードを設定しないようにしてもよい。
【００９５】
次のステップＳ２７では、スライド操作がされたか否かを判断する。つまり、このステップＳ２７では、第１タッチパネル２６ａにおいて、タッチ始点の座標とタッチ終点の座標とが異なるか否かを判断する。ステップＳ２７で“ＮＯ”であれば、つまりスライド操作がされていなければ、図８に示すステップＳ４１に進む。一方、ステップＳ２７で“ＹＥＳ”であれば、つまりスライド操作がされていれば、ステップＳ２９で第２ＬＣＤモニタ２６ｂに対応するＴＶ番組がミュート設定されているか否かを判断する。つまり、このステップＳ２９では第２ミュートフラグ１４８がオン状態であるか否かを判断する。ステップＳ２９で“ＮＯ”であれば、つまり第２ミュートフラグ１４８がオフ状態であれば、ステップＳ３１でスライド方向を検出する。つまり、このステップＳ３１では、タッチ始点によって示された座標とタッチ終点によって示された座標とからスライド方向を検出する。
【００９６】
たとえば、本実施例では、第１タッチパネル２６ａにおける、タッチ座標系の原点が、図３に示す携帯通信端末１０において左上であり、横軸をＸ軸、縦軸をＹ軸とすれば、タッチ始点の座標を（ｘ１，ｙ１）とし、タッチ終点の座標を（ｘ２，ｙ２）とすることができる。そして、数１に示すように、タッチ始点およびタッチ終点のＸ軸方向の変化量よりＹ軸方向の変化量が大きければ、縦方向のスライド操作とする。また、数２に示すように、Ｙ軸方向の変化量よりＸ軸方向の変化量が大きければ、横方向のスライド操作とする。なお、数３に示すように、タッチ始点およびタッチ終点のＸ軸方向の変化量とＹ軸方向の変化量とが同じのときは、横方向のスライド操作とする。これによって、スライド操作の方向は、縦方向か横方向のいずれか一方の方向に判断される。
【００９７】
［数１］    ｜ｘ１−ｘ２｜＜｜ｙ１−ｙ２｜  …縦方向のスライド操作    ［数２］    ｜ｘ１−ｘ２｜＞｜ｙ１−ｙ２｜  …横方向のスライド操作    ［数３］    ｜ｘ１−ｘ２｜＝｜ｙ１−ｙ２｜  …横方向のスライド操作  そして、縦方向のスライド操作である場合に、変化量が正の値であれば下方向のスライド操作であり、負の値であれば上方向のスライド操作である。一方、横方向のスライド操作である場合に、変化量が正の値であれば右方向のスライド操作であり、変化量が負の値であれば左方向のスライド操作である。
【００９８】
次のステップＳ３３では、スライド方向が縦方向か否かを判断する。つまり、このステップＳ３３では、スライド方向が上方向または下方向かであるか否かを判断し、ステップＳ４１（図８参照）に進む。ステップＳ３３で“ＹＥＳ”であれば、つまり縦方向のスライド操作であれば、ステップＳ３５で第２ＬＣＤモニタ３８ｂに対応するＴＶ番組の音量調整の処理を実行する。つまり、このステップＳ３５では、スライド方向が上方向であれば、音量の調整値を上げ、スライド操作が下方向であれば音量の調整値を下げる。また、ステップＳ３３で“ＮＯ”であれば、つまり横方向のスライド操作であれば、ステップＳ３７で第２ＬＣＤモニタ３８ｂに対応するＴＶ番組の選局の処理を実行し、ステップＳ４１に進む。つまり、このステップＳ３７では、スライド方向が左方向であれば、高周波信号の値を大きく、つまり割り当てられたチャンネルの番号を増加させ、スライド方向が右方向であれば、高周波信号の値を小さく、つまり割り当てられたチャンネルの番号を減少させる。
【００９９】
ここで、ステップＳ２９で“ＹＥＳ”であれば、つまり第２ミュートフラグ１４８がオン状態であれば、ステップＳ４１に進み、ステップＳ４１でリリースされたか否かを判断する。つまり、このステップＳ４１では、第１タッチフラグ１４２がオフ状態であるか否かを判断する。ステップＳ４１で“ＮＯ”であれば、つまり第１タッチフラグ１４２がオン状態であれば、ステップＳ５（図６参照）に戻る。
【０１００】
また、ステップＳ４１で“ＹＥＳ”であれば、つまり第１タッチフラグ１４２がオフ状態であれば、ステップＳ４３で第１タッチ終了カウンタ１６２を初期化し、次のステップＳ４５で第１タッチ終了カウンタ１６２をインクリメントする。つまり、ステップＳ３で第１タッチ終了カウンタ１６２に０を設定し、ステップＳ４５で第１タッチ終了カウンタ１６２を「＋１」する。
【０１０１】
続いて、ステップＳ４７では、第１タッチパネルにタッチされたか否かを判断する。つまり、このステップＳ４７では、第１タッチフラグ１４２がオン状態であるか否かを判断する。ステップＳ４７で“ＮＯ”であれば、つまり第１タッチフラグ１４２がオフ状態であれば、ステップＳ４９で第１タッチ終了カウンタ１６２の値が１００以上であるか否かを判断する。リリースされてからステップＳ４９の処理が行われるまでの時間が他の所定時間（１秒間）を超えたか否かを判断する。ステップＳ４９で“ＮＯ”でれば、つまり第１タッチ終了カウンタ１６２の値が１００未満であればステップＳ４５に戻る。一方、ステップＳ４９で“ＹＥＳ”であれば、つまり第１タッチ終了カウンタ１６２の値が１００以上であれば、ステップＳ４５で第１タッチ終了フラグ１５４をオン状態にし、ステップＳ５５に進む。
【０１０２】
また、ステップＳ４５−Ｓ４９の処理は約１／１００秒で処理されるため、第１タッチ終了カウンタ１６２の値が１００であれば、リリースされてから約１秒間が経過したことを示す。つまり、リリースされてから約１秒間が経過すると、第１タッチ終了フラグ１５４がオン状態にされる。
【０１０３】
なお、ステップＳ４９の閾値は、使用者によって１００以上、または１００未満の値を任意に設定できるようにしてもよい。
【０１０４】
ここで、ステップＳ４７で“ＹＥＳ”であれば、つまり１秒以内にタッチがされれば、ステップＳ５３で第１タッチ終了フラグ１５４をオフにし、ステップＳ５５で第１タッチ終了フラグ１５４がオン状態であるか否かを判断する。ステップＳ５５で“ＮＯ”であれば、つまり第１タッチ終了フラグ１５４がオフ状態であれば、ステップＳ５（図６参照）に戻る。一方、ステップＳ５５で“ＹＥＳ”であれば、ステップＳ５７で第１ＬＣＤモニタ３８ａに対応するＴＶ番組の各設定値を読み出す。つまり、このステップＳ５７では、第１設定値データ１３８を読み出す。
【０１０５】
続いて、ステップＳ５９では、第１ＬＣＤモニタ３８ａに対応するＴＶ番組のミュート設定を解除し、ステップＳ１（図６参照）に戻る。つまり、このステップＳ５９では、読み出された第１設定値データ１３８を構成する高周波信号の値を第１ＤＴＶチューナ４２ａに与え、第１設定値データ１３８を構成する音量の調整値に基づいて、第１スピーカ３４ａおよび第２スピーカ３４ｂから出力される音量を調整する。そして、第１ミュートフラグ１４６をオフ状態にする。
【０１０６】
また、第１スリープモードフラグ１５０がオン状態であれば、第１ＬＣＤモニタ３８ａと、第１ＤＴＶチューナ４２ａと、第１ＤＥＭＵＸ４０ａとの電源をオンにし、第１スリープモードフラグ１５０をオフ状態した後に、読み出された第１設定値データ１３８を構成する高周波信号の値と音量の調整値に基づいて、第１ＬＣＤモニタ３８ａに対応するＴ
Ｖ番組の状態をミュート設定される前の状態に復帰させる。
【０１０７】
図９−図１１は、第２タッチパネルのタッチ検出処理を示すフロー図である。この図９−図１１に示す第２タッチパネルのタッチ検出処理は、図６−図８に示した第１タッチパネルのタッチ検出処理とほぼ同じであるため、重複する内容については、簡単に説明することにする。
【０１０８】
図９に示すように、ＣＰＵ２０は、第２タッチパネルのタッチ検出処理を実行すると、ステップＳ７１で、第２タッチパネル２６ｂにタッチされたか否かを判断する。つまり、第２タッチフラグ１４４がオン状態であるか否かを判断する。ステップＳ７１で“ＮＯ”であれば、つまり、第２タッチフラグ１４４がオフ状態であれば、ステップＳ７１の処理を繰り返す。一方、ステップＳ７１の“ＹＥＳ”であれば、つまり第２タッチフラグ１４４がオン状態であれば、ステップＳ７３で第２タッチ開始カウンタ１６０を初期化し、ステップＳ７５で第２タッチ開始カウンタ１６０をインクリメントし、ステップＳ７７に進む。
【０１０９】
続いて、ステップＳ７７では、ミュート設定か否かを判断する。つまり、第２ミュートフラグ１４８がオン状態であるか否かを判断する。ステップＳ７７で“ＹＥＳ”であれば、つまり第２ミュートフラグ１４８がオン状態であれば、ステップＳ９１（図１０参照）に進む。一方、ステップＳ７７で“ＮＯ”であれば、つまり第２ミュートフラグ１４８がオフ状態であれば、ステップＳ７９で第２ＬＣＤモニタ３８ｂに対応するＴＶ番組の各設定値を記憶する。つまり、このステップＳ７９では、第２ＬＣＤモニタ３８ｂに対応するＴＶ番組におけるチャンネルの高周波信号の値と音量の調整値とを第２設定値データ１４０としてデータ記憶領域１０４に記憶する。次のステップＳ８１では、第２ＬＣＤモニタ３８ｂに対応するＴＶ番組をミュート設定し、ステップＳ９１に進む。つまり、このステップＳ８１では、第３スピーカ３４ｃから出力される音声を止め、第２ミュートフラグ１４８をオン状態にする。また、第２スピーカ３４ｂが第２ＬＣＤモニタ３８ｂに対応する左チャンネルに設定される場合には、第２スピーカ３４ｂから出力される音声も止める。
【０１１０】
ステップＳ９１では、スリープモードか否かを判断する。つまり、このステップＳ９１では、第２スリープモードフラグ１５２がオン状態であるか否かを判断する。ステップＳ９１で“ＹＥＳ”であれば、つまり第２スリープモードフラグ１５２がオン状態であれば、ステップＳ９７に進む。一方、ステップＳ９１で“ＮＯ”でれば、つまり第２スリープモードフラグ１５２がオフ状態であれば、ステップＳ９３で第２タッチ開始カウンタ１６０の値が６００であるか否かを判断する。つまり、タッチを開始してから所定時間（２０秒）が経過したか否かを判断する。ステップＳ９３で“ＮＯ”であれば、つまり２０秒が経過していなければステップＳ９７に進む。また、ステップＳ９３で“ＹＥＳ”であれば、２０秒が経過していれば、ステップＳ９５でスリープモードを設定し、ステップＳ９７に進む。つまり、第２ＬＣＤモニタ３８ｂと、第２ＤＴＶチューナ４２ｂと、第２ＤＥＭＵＸ４０ｂとの電源をオフにし、第２スリープモードフラグ１５２をオン状態にする。
【０１１１】
続いて、ステップＳ９７では、スライド操作がされたか否かを判断する。ステップＳ９７で“ＮＯ”であれば、つまりスライド操作がされてなければステップ１２１（図１１参照）に進む。一方、ステップＳ９７で“ＹＥＳ”であれば、つまりスライド操作がされていれば、ステップＳ９９で第１ＬＣＤモニタ３８ａに対応するＴＶ番組はミュート設定されているか否かを判断する。つまり、第１ミュートフラグ１５０がオン状態であるか否かを判断する。ステップＳ９９で“ＹＥＳ”であれば、つまり第１ミュートフラグ１５０がオン状態であれば、ステップＳ１２１に進む。
【０１１２】
また、ステップＳ９９で“ＮＯ”であれば、つまり第１ミュートフラグ１５０がオフ状
態であれば、ステップＳ１０１でスライド方向を検出し、ステップＳ１０３でスライド方向が縦方向か否かを判断する。つまり、検出されたスライド方向が縦方向であるか否かを判断する。ステップＳ１０３で“ＹＥＳ”であれば、ステップＳ１０５で第１ＬＣＤモニタ３８ａに対応するＴＶ番組の音量調整の処理を実行し、ステップＳ１２１に進む。つまり、このステップＳ１０５では、上方向または下方向に応じて音量調整の処理を行う。また、ステップＳ１０３で“ＮＯ”であれば、ステップＳ１０７で第１ＬＣＤモニタ３８ａに対応するＴＶ番組の選局の処理を実行し、ステップＳ１２１に進む。つまり、このステップＳ１０７では、左方向または右方向に応じて選局の処理を行う。
【０１１３】
図１１に示すステップＳ１２１では、リリースされたか否かを判断する。つまり、第２タッチフラグ１４４がオフであるか否かを判断する。ステップＳ１２１で“ＮＯ”であれば、つまり第２タッチフラグ１４４がオン状態であれば、ステップＳ７５（図９参照）に戻る。また、ステップＳ１２１で“ＹＥＳ”であれば、つまり第２タッチフラグ１４４がオフ状態であれば、ステップＳ１２３で第２タッチ終了カウンタ１６４を初期化し、ステップＳ１２５で第２タッチ終了カウンタ１６４をインクリメントし、ステップＳ１２７に進む。
【０１１４】
続いて、ステップＳ１２７では、第２タッチパネル２６ｂにタッチされたか否かを判断する。つまり、第２タッチフラグ１４４がオン状態であるか否かを判断する。ステップＳ１２７で“ＮＯ”であれば、つまり第２タッチフラグ１４４がオン状態であれば、ステップＳ１２９で第２タッチ終了カウンタの値が１００であるか否かを判断する。つまり、リリースされてから他の所定時間（１秒間）が経過したか否かを判断する。ステップＳ１２０で“ＮＯ”であれば、つまり１秒間が経過していなければ、ステップＳ１２５に戻る。一方、ステップＳ１２９で“ＹＥＳ”であれば、ステップＳ１３１で第２タッチ終了フラグ１５６をオン状態にし、ステップＳ１３５に進む。
【０１１５】
また、ステップＳ１２７で“ＹＥＳ”であれば、つまり第２タッチフラグ１４４がオン状態であれば、ステップＳ１３３で第２タッチフラグをオフ状態にし、ステップＳ１３５で第２タッチ終了フラグ１５６がオン状態であるか否かを判断する。ステップＳ１３５で“ＮＯ”であれば、ステップＳ７５（図９参照）に戻る。また、ステップＳ１３５で“ＹＥＳ”であれば、ステップＳ１３７で第２ＬＣＤモニタ３８ｂに対応するＴＶ番組の各設定値を読み出す。つまり、第２設定値データ１４０に含まれる、高周波信号の値と音量の調整値とが読み出される。
【０１１６】
続いて、ステップＳ１３９では、第２ＬＣＤモニタ３８ｂに対応するＴＶ番組のミュート設定を解除し、ステップＳ７１（図９参照）に戻る。つまり、読み出した高周波信号の値と音量の調整値から、ミュート設定される前の状態に復帰させ、第２ミュートフラグ１４８をオフ状態にする。また、スリープモードが設定される場合には、つまり第２スリープモードフラグ１５２がオン状態であれば、第２ＬＣＤモニタ３８ｂと、第２ＤＴＶチューナ４２ｂと、第２ＤＥＭＵＸ４０ｂとの電源をオンにし、第２スリープモードフラグ１５２をオフ状態にする。そして、読み出した高周波信号の値と音量の調整値とから、第２ＬＣＤモニタ３８ｂに対応するＴＶ番組をミュート設定される前の状態に復帰させる。
【０１１７】
これによって、第１ＬＣＤモニタ３８ａまたは第２ＬＣＤモニタ３８ｂに対応するＴＶ番組は、第１タッチパネル２６ａまたは第２タッチパネル２６ｂによって、ミュート設定される。そして、第１タッチパネル２６ａと第２タッチパネル２６ｂとに同時にタッチする場合には、第１スピーカ３４ａ、第２スピーカ３４ｂおよび第３スピーカ３４ｃからは音声が出力されない状態となる。
【０１１８】
図１２は、スピーカ制御処理を示すフロー図である。たとえば、携帯通信端末１０の使
用者がキー入力装置２２、第１タッチパネル２６ａまたは第２タッチパネル２６ｂを操作して、デジタルＴＶ視聴モードを実行する指示を入力すると、図１２に示すように、ＣＰＵ２０は、スピーカ制御処理を実行し、ステップＳ１５１で第２スピーカ３４ｂを第１ＬＣＤモニタ３８ａに対応する右チャンネルに設定する。つまり、デジタルＴＶ視聴モードの初期状態として、第２スピーカ３４ｂは、第１ＬＣＤモニタ３８ａに対応する右チャンネルとして設定される。
【０１１９】
次のステップＳ１５３では、第１ミュートフラグ１４６が変化したか否かを判断する。つまり、このステップＳ１５３では、第１ミュートフラグ１４６がオン状態からオフ状態またはオフ状態からオン状態に変化したか否かを判断する。ステップＳ１５３で“ＮＯ”であれば、つまり第１ミュートフラグ１４６の状態が変化していなければ、ステップＳ１５５で第２ミュートフラグ１４８が変化したか否かを判断する。つまり、このステップＳ１５５では、第２ミュートフラグ１４８がオン状態からオフ状態またはオフ状態からオン状態に変化したか否かを判断する。ステップＳ１５５で“ＮＯ”であれば、つまり第２ミュートフラグ１４８の状態が変化していなければ、ステップＳ１５３に戻る。
【０１２０】
ここで、ステップＳ１５３またはステップＳ１５５で“ＹＥＳ”であれば、つまり第１ミュートフラグ１４６または第２ミュートフラグ１４８のどちらか一方の状態が変化すれば、ステップＳ１５７で、第１ミュートフラグ１４６のみがオン状態であるか否かを判断する。つまり、第１ＬＣＤモニタ３８ａに対応するＴＶ番組のみがミュート設定されているか否かを判断する。ステップＳ１５７で“ＹＥＳ”であれば、つまり第１ＬＣＤモニタ３８ａに対応するＴＶ番組のみがミュート設定されていれば、ステップＳ１５９で第２スピーカを第２ＬＣＤモニタ３８ｂに対応する左チャンネルに設定し、ステップＳ１５３に戻る。つまり、使用者は、第２ＬＣＤモニタ３８ｂに対応するＴＶ番組をステレオ放送として視聴することが可能な状態になる。
【０１２１】
また、ステップＳ１５７で“ＮＯ”であれば、つまり第１ＬＣＤモニタ３８ａに対応するＴＶ番組のみがミュート設定されていなければ、ステップＳ１５１に戻る。
【０１２２】
以上の説明から分かるように、携帯通信端末１０は、第１ＬＣＤモニタ３８ａ、第２ＬＣＤモニタ３８ｂ、第１ＤＴＶチューナ４２ａおよび第２ＤＴＶチューナ４２ｂを備えるため、使用者は、それぞれのＬＣＤモニタで異なるチャンネルのＴＶ番組を視聴することができる。たとえば、使用者は、第１タッチパネル２６ａタッチすることで、第１ＬＣＤモニタ３８ａに対応するＴＶ番組の音声の出力を止めることができる。さらに、第２タッチパネル２６ｂタッチすることで、第２ＬＣＤモニタ３８ｂに対応するＴＶ番組の音声の出力を止めることができる。
【０１２３】
これによって、使用者は、第１タッチパネル２６ａまたは第２タッチパネル２６ｂに対してタッチおよびリリースを行うだけで、必要とするＴＶ番組の音声を容易に選択することができる。
【０１２４】
なお、本実施例は、ミュート設定されるとともに、当該ミュート設定されたＴＶ番組の映像データと音声データとを記憶、つまり録画するようにしてもよい。たとえば、ステップＳ１１（図６参照）で第１ＬＣＤモニタ３８ａに対応するＴＶ番組がミュート設定されると、第１ＬＣＤモニタ３８ａに対応するＴＶ番組の映像データと音声データとをＲＡＭ３０のメモリマップ（図４および図５参照）において、図示しない録画データとしてのデータ記憶領域１０４記憶されるようにしてもよい。
【０１２５】
また、第１ＬＣＤモニタ３８ａに対応するＴＶ番組がミュート設定され、第１ＬＣＤモニタ３８ａに対応するＴＶ番組を録画する場合には、スリープモードが設定されないよう
にする必要がある。つまり、スリープモードでは、第１ＤＴＶチューナ４２ａの電源がオフになるため、第１ＬＣＤモニタ３８ａに対応するＴＶ番組のチャンネルを受信できないようになるからである。
【０１２６】
さらに、第１ＬＣＤモニタ３８ａに対応するＴＶ番組がミュート設定されると、第１ＬＣＤモニタ３８ａに対応するＴＶ番組を録画する場合に、さらに、第２ＬＣＤモニタ３８ｂに対応するＴＶ番組がミュート設定された場合は、図示しない他の録画データとして、データ記憶領域１０４に記憶するようにしてもよいし、第２ＬＣＤモニタ３８ｂに対応するＴＶ番組は録画されないようにしてもよい。第２ＬＣＤモニタ３８ｂに対応するＴＶ番組は録画されないようにする場合には、第２ＬＣＤモニタ３８ｂに対応するＴＶ番組がミュート設定された後に、第１ミュートフラグ１４６がオン状態であるか否かを判断するようにすればよい。
【０１２７】
また、さらに、ステップＳ３７（図７参照）で、第１タッチパネル２６ａに対して、横方向のスライド操作することで、第２ＬＣＤモニタ３８ｂに対応するＴＶ番組のチャンネル選局の処理を行う場合に、第１ＬＣＤモニタ３８ａに対応するＴＶ番組と同じチャンネルとなる場合がある。この場合に、第１ＬＣＤモニタ３８ａに対応するＴＶ番組のミュートを解除し、第２ＬＣＤモニタ３８ｂに対応するＴＶ番組をミュート設定するようにしてもよい。
【０１２８】
また、本実施例では、タッチパネルを設けたＬＣＤモニタによって、タッチまたはリリースを検出したが、タッチパネルの機能を備える「光センサ内蔵システム液晶」などの表示装置によって、タッチまたはリリースを検出するようにしてもよい。
【０１２９】
また、本実施例では、スピーカによって音声を出力したが、「サウンドウィンドウ」のように、タッチパネルを振動板として利用し、音声を出力する技術を利用するようにしてもよい。
【０１３０】
また、携帯通信端末１０の通信方式には、ＣＤＭＡ方式、Ｗ‐ＣＤＭＡ方式、ＴＤＭＡ方式に限らず、ＰＨＳ方式などを採用してもよい。また、携帯通信端末１０のみに限らず、ＰＤＡ（Ｐｅｒｓｏｎａｌ  Ｄｅｇｉｔａｌ  Ａｓｓｉｓｔａｎｔ）などの携帯情報端末などであってもよい。
【符号の説明】
【０１３１】
１０    携帯通信端末
２０    ＣＰＵ
２６ａ  第１タッチパネル
２６ｂ  第２タッチパネル
３０    ＲＡＭ
３４ａ  第１スピーカ
３４ｂ  第２スピーカ
３４ｃ  第３スピーカ
３８ａ  第１ＬＣＤモニタ
３８ｂ  第２ＬＣＤモニタ
４２ａ  第１ＤＴＶチューナ
４２ｂ  第２ＤＴＶチューナ
４４    ＤＴＶアンテナ  
【図１】
0005606499.tif 000002
【図２】
0005606499.tif 000003
【図３】
0005606499.tif 000004
【図４】
0005606499.tif 000005
【図５】
0005606499.tif 000006
【図６】
0005606499.tif 000007
【図７】
0005606499.tif 000008
【図８】
0005606499.tif 000009
【図９】
0005606499.tif 000010
【図１０】
0005606499.tif 000011
【図１１】
0005606499.tif 000012
【図１２】
0005606499.tif 000013